(57)【要約】【課題】ベゼル部分が少なく薄型の表示装置を提供すること。【解決手段】表示装置は、第１画素を含む表示部を有する可撓性の第１基板と、可撓性の第２基板と、前記第１基板と前記第２基板とを接着するシール部と、を備え、平面視において前記シール部の内側に屈曲部を有し、前記第１基板の前記第２基板と対向する面を表面とし、該表面の反対側の面を裏面とした場合に、平面視において、前記屈曲部より内側の前記裏面と前記屈曲部より外側の前記裏面とが重畳し、前記屈曲部まで前記表示部が設けられている。【選択図】図２
2018049193.tif 000002
【特許請求の範囲】
【請求項１】
第１画素を含む表示部を有する、可撓性を有する第１基板と、
可撓性を有する第２基板と、
前記第１基板と前記第２基板とを接着するシール部と、
を備え、
平面視において前記シール部の内側に屈曲部を有し、
前記第１基板の前記第２基板と対向する面を表面とし、該表面の反対側の面を裏面とした場合に、平面視において、前記屈曲部より内側の前記裏面と前記屈曲部より外側の前記裏面とが重畳し、
前記屈曲部まで前記表示部が設けられている、表示装置。
【請求項２】
第１画素を含む表示部を有する、可撓性を有する第１基板と、
可撓性を有する第２基板と、
前記第１基板と前記第２基板とを接着するシール部と、
を備え、
平面視において前記シール部と前記表示部とが重畳するように、前記第１基板及び前記第２基板は屈曲部を有する、表示装置。
【請求項３】
第１画素を含む表示部を有する、可撓性を有する第１基板と、
可撓性を有する第２基板と、
前記第１基板と前記第２基板とを接着するシール部と、
を備え、
平面視において前記シール部の内側に屈曲部を有し、
前記第１基板の前記第２基板と対向する面を表面とし、該表面の反対側の面を裏面とした場合に、平面視において、前記屈曲部より内側の前記裏面と前記屈曲部より外側の前記裏面とが重畳し、
前記屈曲部における曲げ剛性が、前記屈曲部より内側における曲げ剛性よりも低い、表示装置。
【請求項４】
さらに、前記第２基板の裏面側に２つの偏光部材を備え、
前記２つの偏光部材の一方は、前記表示部と重畳し、他方は、前記表示部及び前記屈曲部と重畳し、
前記他方の偏光部材の曲げ剛性が、前記一方の偏光部材の曲げ剛性よりも低い、請求項１乃至３のいずれか一項に記載の表示装置。
【請求項５】
第１画素を含む表示部を有する、可撓性を有する第１基板と、
可撓性を有する第２基板と、
前記第１基板と前記第２基板とを接着するシール部と、
偏光部材又は導光部材である光学部材と、
を備え、
平面視において前記シール部の内側に屈曲部を有し、
前記第１基板の前記第２基板と対向する面を表面とし、該表面の反対側の面を裏面とした場合に、平面視において、前記屈曲部より内側の前記裏面と前記屈曲部より外側の前記裏面とが重畳し、
平面視において、前記光学部材は、前記表示部と重畳し、かつ前記光学部材の端部が前記屈曲部よりも内側にある、表示装置。
【請求項６】
さらに、カラーフィルタ部材を備え、
前記カラーフィルタ部材は、前記表示部及び前記屈曲部に重畳している、請求項１乃至５のいずれか一項に記載の表示装置。
【請求項７】
さらに、前記第１基板の裏面の側に設けられ、導光部材と光源とを含む照明装置を備え、
前記導光部材は、前記屈曲部より内側の前記裏面と前記屈曲部より外側の前記裏面とに挟まれ、
前記光源は、前記屈曲部と対向する、請求項１乃至６のいずれか一項に記載の表示装置。
【請求項８】
前記第１画素は、薄膜トランジスタ及び前記薄膜トランジスタを介して映像信号が供給される画素電極を有し、
前記屈曲部の一部、又は、前記シール部の内側であって前記屈曲部より外側には、前記第１画素が配置されない、請求項１乃至７のいずれか一項に記載の表示装置。
【請求項９】
前記屈曲部、又は、前記シール部の内側であって前記屈曲部より外側には、映像信号が供給されない第２画素が配置される、請求項１乃至８のいずれか一項に記載の表示装置。
【請求項１０】
さらに、前記第１基板と前記第２基板との間の液晶層を備え、
前記屈曲部、又は、前記シール部の内側であって前記屈曲部より外側には、前記液晶層の中のイオンをトラップするトラップ電極を有する、請求項１乃至９のいずれか一項に記載の表示装置。
【請求項１１】
前記第１基板の裏面のうち、前記屈曲部より外側の前記裏面に樹脂層を備える、請求項１乃至１０のいずれか一項に記載の表示装置。
【請求項１２】
さらに、前記第１画素に映像信号を供給する駆動回路を備え、
前記駆動回路は、前記シール部の外側に配置される、請求項１乃至１１のいずれか一項に記載の表示装置。
【請求項１３】
さらに、前記第１基板の裏面側に設けられ、導光部材と光源とを含む照明装置を備え、
断面視において、前記導光部材は前記表示部と前記シール部の間にある、請求項１乃至１２のいずれか一項に記載の表示装置。
【請求項１４】
請求項１乃至１３のいずれか一項に記載の表示装置を含む、電子機器。
【発明の詳細な説明】
【技術分野】
【０００１】
本発明は、複数の画素を含む表示装置に関する。特に、支持基板として可撓性を有する基板を用いた表示装置に関する。
【背景技術】
【０００２】
従来、表示装置の支持基板として、可撓性を有する基板（以下「フレキシブル基板」という。）を用いた表示装置が知られている。フレキシブル基板を用いた表示装置は、全体に柔軟性があり、折り曲げ可能であるため、使用環境に対する汎用性が高いという特長がある。
【０００３】
また、フレキシブル基板を用いた場合、表示装置のベゼル部分（観察者から視認される表示画面以外の縁部分）の縮小化が可能であるという利点がある。例えば、特許文献１には、フレキシブル基板の折り曲げ部分にシール材と外部入力端子を設けた表示装置が開示されている。また、特許文献２には、表示領域と駆動回路部を接続する配線部分において基板を折り曲げることにより、駆動回路部を表示領域の背面側に配置した表示装置が開示されている。
【先行技術文献】
【特許文献】
【０００４】
【特許文献１】特開２０００−２７５６２６号公報
【特許文献２】特開２０１４−２０６７６０号公報
【発明の概要】
【発明が解決しようとする課題】
【０００５】
特許文献１に記載された表示装置は、折り曲げ部にシール材及び外部入力端子を配置する必要があるため、折り曲げ部の幅をシール材及び外部入力端子を配置する分だけ確保する必要がある。そのため、表示装置を薄型にすることができないという問題があった。さらに、折り曲げ部に外部入力端子が配置されるため、外部入力端子が折り曲げ時に破損する可能性がある。
【０００６】
特許文献２に記載された表示装置は、表示領域と駆動回路部との間で基板を折り曲げるため、折り曲げのためのマージンを確保する必要がある。そのため、表示装置のベゼル部分の低減に関しては、依然として改善の余地がある。
【０００７】
そこで、本発明の課題の一つは、ベゼル部分が少なく薄型の表示装置を提供することにある。
【課題を解決するための手段】
【０００８】
本発明の一実施形態における表示装置は、第１画素を含む表示部を有する、可撓性を有する第１基板と、可撓性を有する第２基板と、前記第１基板と前記第２基板とを接着するシール部と、を備え、平面視において前記シール部の内側に屈曲部を有し、前記第１基板の前記第２基板と対向する面を表面とし、該表面の反対側の面を裏面とした場合に、平面視において、前記屈曲部より内側の前記裏面と前記屈曲部より外側の前記裏面とが重畳し、前記屈曲部まで前記表示部が設けられている。
【０００９】
本発明の一実施形態における表示装置は、第１画素を含む表示部を有する、可撓性を有する第１基板と、可撓性を有する第２基板と、前記第１基板と前記第２基板とを接着するシール部と、を備え、平面視において前記シール部と前記表示部とが重畳するように、前記第１基板及び前記第２基板は屈曲部を有する。
【００１０】
本発明の一実施形態における表示装置は、第１画素を含む表示部を有する、可撓性を有する第１基板と、可撓性を有する第２基板と、前記第１基板と前記第２基板とを接着するシール部と、を備え、平面視において前記シール部の内側に屈曲部を有し、前記第１基板の前記第２基板と対向する面を表面とし、該表面の反対側の面を裏面とした場合に、平面視において、前記屈曲部より内側の前記裏面と前記屈曲部より外側の前記裏面とが重畳し、前記屈曲部における曲げ剛性が、前記屈曲部より内側における曲げ剛性よりも低い。
【００１１】
本発明の一実施形態における表示装置は、第１画素を含む表示部を有する、可撓性を有する第１基板と、可撓性を有する第２基板と、前記第１基板と前記第２基板とを接着するシール部と、偏光部材又は導光部材である光学部材と、を備え、平面視において前記シール部の内側に屈曲部を有し、前記第１基板の前記第２基板と対向する面を表面とし、該表面の反対側の面を裏面とした場合に、平面視において、前記屈曲部より内側の前記裏面と前記屈曲部より外側の前記裏面とが重畳し、平面視において、前記光学部材は、前記表示部と重畳し、かつ前記光学部材の端部が前記屈曲部の端部よりも内側にある。
【図面の簡単な説明】
【００１２】
【図１】第１実施形態における表示装置の概略の構成の一例を示す斜視図である。
【図２】第１実施形態における表示装置の画素構造の構成の一例を示す断面図である。
【図３】第１実施形態における表示装置の概略の構成の一例を示す断面図である。
【図４】第２実施形態における表示装置の概略の構成の一例を示す斜視図である。
【図５】第２実施形態における表示装置の概略の構成の一例を示す断面図である。
【図６】第３実施形態における表示装置の概略の構成の一例を示す断面図である。
【図７】第４実施形態における表示装置の概略の構成の一例を示す斜視図である。
【図８】第４実施形態における表示装置の概略の構成の一例を示す断面図である。
【図９】第５実施形態における表示装置の概略の構成の一例を示す断面図である。
【図１０】第６実施形態における表示装置の概略の構成の一例を示す斜視図である。
【図１１Ａ】第６実施形態の表示装置を搭載した電子機器の概略の構成の一例を示す斜視図である。
【図１１Ｂ】第６実施形態の表示装置を搭載した電子機器の概略の構成の一例を示す斜視図である。
【図１２】第６実施形態における表示装置の概略の構成の一例を示す断面図である。
【図１３】第７実施形態における表示装置の概略の構成の一例を示す斜視図である。
【図１４】第７実施形態の表示装置を搭載した電子機器の概略の構成の一例を示す斜視図である。
【図１５】第８実施形態の表示装置を搭載した電子機器の概略の構成の一例を示す斜視図である。
【図１６】第８実施形態における表示装置の概略の構成の一例を示す断面図である。
【発明を実施するための形態】
【００１３】
以下、本発明の各実施の形態について、図面等を参照しつつ説明する。但し、本発明は、その要旨を逸脱しない範囲において様々な態様で実施することができ、以下に例示する実施の形態の記載内容に限定して解釈されるものではない。また、図面に関して、説明をより明確にするため、実際の態様に比べて各部の幅、厚さ、形状等を模式的に表す場合があるが、それら模式的な図は一例であって、本発明の解釈を限定するものではない。さらに、本明細書と各図において、既出の図に関して説明したものと同様の機能を備えた要素には、同一の符号を付して、重複する説明を省略することがある。
【００１４】
なお、本明細書及び特許請求の範囲において、図面を説明する際の「上」、「下」などの表現は、着目する構造体と他の構造体との相対的な位置関係を表現している。具体的には、側面から見た場合において、第１基板（アレイ基板）から第２基板（対向基板）に向かう方向を「上」と定義し、その逆の方向を「下」と定義する。
【００１５】
また、「内側」及び「外側」とは、２つの部位における、表示部を基準とした相対的な位置関係を示す。すなわち、「内側」とは、一方の部位に対し相対的に表示部に近い側を指し、「外側」とは、一方の部位に対し相対的に表示部から遠い側を指す。ただし、ここで言う「内側」及び「外側」の定義は、表示装置を折り曲げていない状態におけるものとする。
【００１６】
「表示装置」とは、電気光学層を用いて映像を表示する構造体を指す。例えば、表示装置という用語は、電気光学層を含む表示セルを指す場合もあるし、表示セルに対して他の光学部材（例えば、偏光部材、バックライト、タッチパネル等）を装着した構造体を指す場合もある。ここで、「電気光学層」には、技術的な矛盾を生じない限り、液晶層、エレクトロルミネセンス（ＥＬ）層、エレクトロクロミック（ＥＣ）層、電気泳動層が含まれ得る。したがって、後述する実施形態について、表示装置として、液晶層を含む液晶装置を例示して説明するが、上述した他の電気光学層を含む表示装置への適用を排除するものではない。
【００１７】
（第１実施形態）
＜表示装置の構成＞
まず、第１実施形態の表示装置１００として、液晶装置を例に挙げて概略の構成について説明する。図１は、第１実施形態における表示装置１００の概略の構成を示す斜視図である。
【００１８】
表示装置１００は、アレイ基板１０１、表示部１０２、端子部１０３、フレキシブルプリント回路基板１０４、駆動回路１０５、シール部１０６、及び対向基板１０７を有する。なお、説明を簡単にするため、図１では偏光部材及びバックライト等の光学部材の図示を省略しているが、それらの光学部材については後述する。
【００１９】
アレイ基板１０１は、可撓性を有する基板（例えば、樹脂基板）上に、薄膜トランジスタ及びその薄膜トランジスタに接続された画素電極を含む複数の画素１０２ａが設けられた基板である。表示部１０２は、複数の画素１０２ａが行方向及び列方向に配列されることにより構成された領域である。
【００２０】
各画素１０２ａには、スイッチング素子として薄膜トランジスタを用いた回路が含まれる。各画素１０２ａは、供給される映像信号に応じてスイッチング素子のＯＮ／ＯＦＦ動作を制御することにより、各画素１０２ａが有する画素電極に対応する液晶層の配向制御を行う。つまり、上述の表示部１０２は、薄膜トランジスタ及びその薄膜トランジスタを介して映像信号が供給される画素（以下「第１画素」と呼ぶ場合がある。）を含む領域を指す。
【００２１】
ここで、第１画素である画素１０２ａについて簡単に説明する。図２は、第１実施形態における表示装置１００の画素構造の構成を示す断面図である。
【００２２】
図２において、ポリイミド等の樹脂材料で構成される樹脂基板２０１の表面には、無機絶縁材料で構成される下地層２０２が設けられている。下地層２０２の上には、薄膜トランジスタ２０及び保持容量３０が設けられている。
【００２３】
薄膜トランジスタ２０には、半導体層２０３、ゲート絶縁層２０４、ゲート電極２０５、絶縁層２０６、ソース電極２０７及びドレイン電極２０８が含まれる。これらの要素は、いずれも公知の材料で構成することができる。
【００２４】
保持容量３０には、半導体層２０３、ゲート絶縁層２０４、容量電極２０９、絶縁層２０６及びドレイン電極２０８が含まれる。ここでは、半導体層２０３、ゲート絶縁層２０４及び容量電極２０９で第１保持容量を構成し、容量電極２０９、絶縁層２０６及びドレイン電極２０８で第２保持容量を構成する。保持容量３０は、これら第１保持容量及び第２保持容量の合計の容量を有する。
【００２５】
薄膜トランジスタ２０及び保持容量３０の上には、アクリル等の樹脂材料で構成される樹脂層２１０が設けられ、薄膜トランジスタ２０及び保持容量３０に起因する起伏が平坦化されている。樹脂層２１０の上には、ＩＴＯ（Ｉｎｄｉｕｍ  ｔｉｎ  ｏｘｉｄｅ）等の透明導電膜で構成される共通電極２１１が設けられる。共通電極２１１の上には、絶縁層２１２を介して画素電極２１３が設けられる。
【００２６】
絶縁層２１２としては、例えば酸化シリコン膜又は窒化シリコン膜などの無機絶縁膜を用いることができるが、これに限られるものではない。また、画素電極２１３は、共通電極２１１と同様に、ＩＴＯ等の透明導電膜で構成される。画素電極２１３は、樹脂層２１０及び絶縁層２１２に設けられたコンタクトホール２５を介してドレイン電極２０８に電気的に接続される。なお、図２では、画素電極２１３が複数設けられているように示されているが、実際には、平面視における画素電極２１３は、櫛のようなパターン形状を有する。つまり、平面視における画素電極２１３は、隣接して配置された複数の線状電極が、一端で接続された形状を有する。
【００２７】
本実施形態では、共通電極２１１と画素電極２１３との間に電界（フリンジ電界と呼ばれる）を形成し、その電界によって液晶の配向を制御する。このような液晶表示方式をＦＦＳ（Ｆｒｉｎｇｅ  Ｆｉｅｌｄ  Ｓｗｉｔｃｈｉｎｇ）方式と呼ぶ。
【００２８】
ただし、液晶表示方式は、ＦＦＳ方式に限らず、他の如何なる液晶表示方式を用いてもよい。例えば、同一層に設けられた画素電極と共通電極とを用いて形成した横電界を利用するＩＰＳ（Ｉｎ−ｐｌａｉｎ  Ｓｗｔｃｈｉｎｇ）方式を用いてもよい。また、アレイ基板側に設けられた画素電極と、対向基板側に設けられた共通電極との間に縦電界を形成し、その縦電界で液晶の配向を制御するＶＡ（Ｖｅｒｔｉｃａｌ  Ａｌｉｇｎｍｅｎｔ）方式を用いてもよい。
【００２９】
画素電極２１３の上には、配向膜２１４が設けられている。本実施形態では、樹脂基板２０１から配向膜２１４までの要素をまとめてアレイ基板１０１と呼んでいる。なお、画素電極２１３には、薄膜トランジスタ２０を介して映像信号が供給される。映像信号は、薄膜トランジスタ２０のソース電極２０７に供給され、ゲート電極２０５の制御によりドレイン電極２０８へと伝達される。その結果、映像信号は、ドレイン電極２０８から画素電極２１３へと供給される。
【００３０】
配向膜２１４の上には、液晶層１０８が保持されている。前述のように、液晶層１０８は、アレイ基板１０１と対向基板１０７との間で、シール部１０６によって囲まれることにより保持されている。
【００３１】
液晶層１０８の上には、対向基板１０７側の配向膜２１５が設けられている。配向膜２１５の上には、オーバーコート層２１６が設けられている。オーバーコート層２１６は、黒色顔料を含有した樹脂材料、又は黒色の金属材料で構成される遮光部材２１７、及びＲＧＢの各色に対応する顔料又は染料を含有した樹脂材料で構成されるカラーフィルタ部材２１８に起因する起伏を平坦化している。
【００３２】
遮光部材２１７及びカラーフィルタ部材２１８の上には、ポリイミド等の樹脂材料で構成される樹脂基板２１９が配置される。実際には、樹脂基板２１９の一方の面の上に、遮光部材２１７、カラーフィルタ部材２１８、オーバーコート層２１６、及び配向膜２１５を積層して対向基板１０７が構成される。なお、耐水性向上のため、樹脂基板２１９とカラーフィルタ部材２１８の間に、窒化シリコン又は酸化シリコン等の無機絶縁膜を形成しても良い。
【００３３】
このように、本実施形態の表示部１０２は、図２を用いて説明した構造を備える複数の画素１０２ａを有する。
【００３４】
図１を再び参照する。端子部１０３は、表示部１０２に対して外部からの映像信号等を供給する端子である。具体的には、端子部１０３は、各画素１０２ａに接続された配線が集積されることにより構成されている。
【００３５】
フレキシブルプリント回路基板１０４は、端子部１０３に電気的に接続され、外部から映像信号及び駆動信号等を供給する。フレキシブルプリント回路基板１０４は、樹脂フィルム上に複数の配線を配置した構成を有し、端子部１０３に異方性導電膜等を介して接着される。フレキシブルプリント回路基板１０４には、ＩＣチップで構成される駆動回路１０５が設けられている。
【００３６】
駆動回路１０５は、各画素１０２ａの画素電極に供給する映像信号、及び各画素１０２ａの薄膜トランジスタを制御するための駆動信号を表示部１０２に対して供給する。なお、図１では、各画素１０２ａを構成する薄膜トランジスタを制御するために、フレキシブルプリント回路基板１０４に、ＩＣチップで構成される駆動回路１０５を設けた例を示している。しかしながら、表示部１０２の周囲に、薄膜トランジスタを用いて、ゲートドライバ回路又はソースドライバ回路といった駆動回路を設けることも可能である。また、ＩＣチップで構成される駆動回路１０５は、シール部１０６の外側におけるアレイ基板１０１上にＣＯＧ（Ｃｈｉｐ  Ｏｎ  Ｇｌａｓｓ）方式で設けることも可能である。
【００３７】
シール部１０６は、アレイ基板１０１と対向基板１０７とを接着すると共に、アレイ基板１０１と対向基板１０７との間に液晶層１０８（図２参照）を保持する。なお、図面を簡単にするため、図１では、対向基板１０７は破線で示してある。また、図１では図示しないが、対向基板１０７には、遮光部材及びカラーフィルタ部材が含まれる。なお、アレイ基板１０１、シール部１０６、対向基板１０７及び液晶層１０８を含む構造体を、以下では液晶セル１１０と呼ぶ。
【００３８】
なお、図１において、シール部１０６の内側に示した破線１１２ａは、後述するように表示装置１００を折り曲げる位置である。このように、破線１１２ａで示される液晶セル１１０の折り曲げ位置は、シール部１０６よりも内側にある。また、本実施形態では、表示部１０２の内部に折り曲げ位置を設定しているが、その理由については後述する。
【００３９】
図３は、第１実施形態の表示装置１００における断面構成を示す図である。具体的には、図３は、図１に示される表示装置１００をＡ−Ａ’で示す一点鎖線で切断し、その一部を折り曲げた状態を示している。
【００４０】
図３において、アレイ基板１０１の２つの面のうち、対向基板１０７と対向する面（向かい合う面）を表面とし、その表面の反対側の面を裏面と定義する。同様に、対向基板１０７の２つの面のうち、アレイ基板１０１と対向する面（向かい合う面）を表面とし、その表面の反対側の面を裏面と定義する。したがって、液晶層１０８は、シール部１０６の内側においてアレイ基板１０１の表面と対向基板１０７の表面とに挟まれて保持されている。
【００４１】
本実施形態の表示装置１００において、アレイ基板１０１の裏面側には、偏光部材３０１、導光部材３０２及び光源３０３が表示部１０２と重畳するように配置される。このとき、偏光部材３０１及び導光部材３０２は、アレイ基板１０１の裏面側で挟まれた構成となっている。具体的には、偏光部材３０１及び導光部材３０２は、アレイ基板１０１の裏面のうち、後述する屈曲部１１２より内側の裏面と外側の裏面とに挟まれている。また、光源３０３は、後述する屈曲部１１２と対向するように導光部材３０２の側面に配置される。これらの導光部材３０２及び光源３０３が、照明装置（バックライト）を構成する。
【００４２】
また、対向基板１０７の裏面側には、偏光部材３０４が配置される。このように、光源３０３から発した光が導光部材３０２によって偏光部材３０１に導かれ、液晶セル１１０及び偏光部材３０４を介して観察者に認識される。なお、本明細書及び特許請求の範囲において、偏光部材、導光部材及び光源といった光学的に作用する部材を「光学部材」と呼ぶ場合がある。
【００４３】
なお、ここでは液晶セル１０を除く他の部材として、偏光部材及び照明装置を設けた例を示したが、さらに他の光学部材（位相差板、反射防止板など）、又は、タッチパネルを設けてもよい。これらの光学部材及びタッチパネルとしては、公知の部材又は公知の構造を用いることが可能である。
【００４４】
ところで、本実施形態の表示装置１００は、アレイ基板１０１の支持基板として可撓性を有する基板（例えば、樹脂基板）を用いる。そのため、アレイ基板１０１は、全体として可撓性を有する。同様に、対向基板１０７の支持基板として可撓性を有する基板を用いるため、対向基板１０７も全体として可撓性を有する。したがって、本実施形態の表示装置１００は、図３に示されるように、フレキシブルプリント回路基板１０４が液晶セル１１０の背面側に配置されるように折り曲げることが可能である。
【００４５】
ここで、本実施形態の表示装置１００において、畳むように折り曲げられた部分を「屈曲部」と呼ぶ。図３に示されるように、表示装置１００は、平面視においてシール部１０６の内側に屈曲部１１２を有する。そして、表示装置１００は、平面視において、屈曲部１１２より内側のアレイ基板の裏面と、屈曲部１１２より外側のアレイ基板の裏面とが重畳するように折り曲げられている。
【００４６】
このとき、液晶セル１１０は、シール部１０６の内側で折り曲げられる。具体的には、図１に示した破線１１２ａに沿って折り曲げられるため、シール部１０６の一部は、表示装置１００の背面側に位置する。換言すれば、表示装置１００は、シール部１０６の一部が、アレイ基板１０１の裏面と対向する。換言すれば、平面視において、シール部１０６と表示部１０２が重畳するように、アレイ基板１０１と対向基板１０７は屈曲部１１２を有している。これによって、断面視において、導光部材３０２はシール部１０６と表示部１０２の間に位置する。
【００４７】
なお、本実施形態では、アレイ基板１０１の裏面と導光部材３０２との接触を避けるために、緩衝部材として絶縁層３０５を設けている。絶縁層３０５としては、例えば樹脂層を用いることができる。勿論、絶縁層３０５は、省略することも可能である。また、駆動回路１０５をアレイ基板１０１上にＣＯＧ方式で設けた場合は、絶縁層３０５で駆動回路１０５を覆って保護する構成としてもよい。
【００４８】
また、本実施形態では、液晶セル１１０のうち、偏光部材３０１及び偏光部材３０４と重畳しない部分を折り曲げる構成となっている。そのため、図３に示されるように、本実施形態の表示装置１００における屈曲部１１２は、平面視において、偏光部材３０４の縁１１３から僅かに突出する。このとき、平面視において、観察者から視認可能な屈曲部１１２の端部を「仮想端部」と定義する。すなわち、屈曲部１１２とは、平面視において、液晶セル１１０のうち、偏光部材３０４の縁１１３から仮想端部１１４までの範囲に位置する部分を指すとも言える。
【００４９】
なお、本実施形態では、偏光部材３０１及び偏光部材３０４として、アレイ基板１０１及び対向基板１０７を構成する可撓性を有する基板よりも硬質な部材を用いている。そのため、偏光部材３０１及び偏光部材３０４は、十分に折り畳むように曲げることができず、光学部材の端部（例えば、偏光部材３０４の端部１１３）が屈曲部１１２よりも内側にある。なお、平面視において、光学部材の端部が少し屈曲部と重畳する場合も、「光学部材の端部が屈曲部よりも内側」に含まれる。
【００５０】
このように、本実施形態の表示装置１００は、屈曲部１１２における曲げ剛性が、屈曲部１１２より内側（すなわち、偏光部材３０１及び偏光部材３０４が配置される部分）における曲げ剛性よりも低い構造となっている。なお、ここで「曲げ剛性」とは、曲げの力に対する、寸法変化（変形）のしづらさの度合いのことをいう。
【００５１】
ところで、図３に示される表示装置１００において、観察者が映像を視認できる領域（表示可能領域）は、実質的には、偏光部材３０４が配置された領域と見なせる。したがって、偏光部材３０４が配置された領域を最大限に活用することにより、表示可能領域を最大限に大きくすることができる。
【００５２】
そこで、図３に示されるように、本実施形態の表示装置１００は、表示部１０２が、偏光部材３０４と重畳する領域だけでなく、屈曲部１１２に至るまで設けられている。これにより、偏光部材３０１及び偏光部材３０４を貼り合わせ位置がずれたり、液晶セル１１０の折り曲げ位置がずれたりしても、偏光部材３０４と表示部１０２とを縁１１３まで適切に重畳させることができる。
【００５３】
なお、本実施形態では、表示部１０２が、屈曲部１１２の途中まで設けられており、それ以降には設けられていない。つまり、上述の第１画素は、屈曲部１１２の一部、又は、シール部１０６の内側であって屈曲部１１２より外側には配置されない。これは、本実施形態の表示装置１００における屈曲部１１２が、基本的には、表示可能領域ではないからである。
【００５４】
ただし、図２に示した遮光部材２１７又はカラーフィルタ部材２１８は、表示部１０２に重畳するだけでなく、表示部１０２及び屈曲部１１２に重畳するように設けられていてもよい。遮光部材２１７又はカラーフィルタ部材２１８を屈曲部１１２に設けた場合、屈曲部１１２を補強する役割を持たせることができるからである。
【００５５】
また、本実施形態の表示装置１００では、球状のスペーサーではなく、樹脂材料で構成される柱状のスペーサーを用いることが望ましい。本実施形態では、屈曲部１１２のセルギャップを維持するために、屈曲部１１２にもスペーサーを配置する。このとき、球状のスペーサーでは、スペーサーの位置を制御することが困難であり、屈曲部１１２では、スペーサーの位置が変動する可能性もある。それに対し、柱状のスペーサーは、アレイ基板１０１上にフォトリソグラフィを用いて形成するため、設計通りの位置に適切に配置できるという利点を有する。
【００５６】
以上説明したように、本実施形態の表示装置１００は、液晶セル１１０をシール部１０６の内側で折り曲げることにより、表示装置１００の端部（縁）まで最大限に表示可能領域として有効活用することができる構成となっている。また、支持基板として可撓性を有する基板を用いることにより、液晶セル１１０を折り曲げる際、折り畳むように曲げることができる。
【００５７】
したがって、本実施形態によれば、ベゼル部分が少なく薄型の表示装置を提供することができる。
【００５８】
（第２実施形態）
第１実施形態では、シール部１０６の内側であって屈曲部１１２より外側の領域には何も設けない例を示したが、この領域には、第１画素とは異なる他の要素を設けてもよい。第２実施形態では、シール部１０６の内側であって屈曲部１１２より外側の領域に、ダミー画素を設けた例について説明する。なお、本実施形態では、第１実施形態の表示装置１００との構成上の差異に注目して説明を行い、同じ構成については同じ符号を付して説明を省略することがある。
【００５９】
図４は、第２実施形態における表示装置２００の概略の構成を示す斜視図である。図５は、第２実施形態の表示装置２００における断面構成を示す図である。具体的には、図５は、図４に示される表示装置２００をＡ−Ａ’で示す一点鎖線で切断し、その一部を折り曲げた状態を示している。
【００６０】
表示装置２００では、第１画素（画素１０２ａ）で構成される表示部１０２の外側に、ダミー画素４０１を配置している。すなわち、図４及び図５に示されるように、シール部１０６の内側であって屈曲部１１２の一部、又は、屈曲部１１２より外側（シール部１０６の内側であって破線１１２ａで示される折り曲げ位置より外側）にダミー画素４０１を配置している。ダミー画素４０１は複数設けられていてもよい。
【００６１】
ダミー画素４０１は、映像表示に寄与しない画素である。すなわち、本実施形態の表示装置２００が有するダミー画素４０１は、映像信号が供給されない画素（以下「第１画素」と区別して「第２画素」と呼ぶ場合がある。）とも言える。
【００６２】
本実施形態では、屈曲部１１２の一部にダミー画素４０１を配置することにより、表示部１０２が設けられた部分（すなわち、画素１０２ａが設けられた部分）との高さ合わせを行うことができる。その結果、屈曲部１１２において、液晶セル１１０の厚さ（セルギャップ）が大きく変化することを防ぐことができる。
【００６３】
（第３実施形態）
第３実施形態では、第１実施形態の表示装置１００において、偏光部材３０１を構成する部材として、塗布による形成の可能な偏光部材（以下「塗布型偏光部材」と呼ぶ）を用いる例について説明する。なお、本実施形態では、第１実施形態の表示装置１００との構成上の差異に注目して説明を行い、同じ構成については同じ符号を付して説明を省略することがある。
【００６４】
図６は、第３実施形態における表示装置３００における断面構成を示す図である。本実施形態では、アレイ基板１０１の裏面側に配置する偏光部材として、塗布型偏光部材６０１を設けている。また、対向基板１０７の裏面側には、偏光部材として、偏光部材３０４に加えて、塗布型偏光部材６０２を設けている。塗布型偏光部材６０２は、屈曲部１１２における対向基板１０７の裏面側に配置される。塗布型偏光部材６０１及び塗布型偏光部材６０２は、共に可撓性を有する。
【００６５】
また、塗布型偏光部材６０１及び６０２の形成方法については、公知の技術を用いることができる。例えば、フルオレン骨格を有するエポキシアクリレート誘導体を含有する感光性樹脂に、ダイレクトブルー２０２、ダイレクトオレンジ３９及びダイレクトレッド８１を７：１：２の割合で混合し、アレイ基板１０１の裏面又は対向基板１０７の裏面に塗布した後、フォトリソグラフィを用いて形成することができる。また、例えば特開２００６−９１３９３号公報及び特開２００８−８９９６６号公報に記載の塗布型の偏光部材を用いることができる。
【００６６】
本実施形態の塗布型偏光部材６０１及び６０２は、第１実施形態の表示装置１００が有する偏光部材３０１及び偏光部材３０４に比べて柔軟性が高い。つまり、本実施形態の塗布型偏光部材６０１及び６０２の曲げ剛性は、第１実施形態の偏光部材３０１及び偏光部材３０４の曲げ剛性よりも低い。したがって、図６に示されるように、屈曲部１１２においても、塗布型偏光部材６０１及び６０２は、アレイ基板１０１とともに折り曲げることが可能である。
【００６７】
以上のように、本実施形態の表示装置３００では、塗布型偏光部材６０１が表示部１０２及び屈曲部１１２と重畳する。偏光部材３０４は、表示部１０２と重畳する。塗布型偏光部材６０２は、表示部１０２及び屈曲部１１２と重畳する。
【００６８】
なお、本実施形態では、第１実施形態の偏光部材３０１を塗布型偏光部材６０１に変更すると共に、屈曲部１１２における対向基板１０７の裏面側に塗布型偏光部材６０２を追加する例を示した。しかしながら、これに限らず、図６において、偏光部材３０４も塗布型偏光部材に変更することができる。この場合、使用する偏光部材がいずれも可撓性を有するため、屈曲部１１２をも表示画面として有効活用し得る。
【００６９】
また、第１実施形態の偏光部材３０１及び偏光部材３０４は、可撓性を有する程度に厚さを抑えた偏光部材としてもよい。例えば、厚さを７０μｍ以下（好ましくは６０μｍ以下、さらに好ましくは５０μｍ以下）にすることにより、偏光部材３０１及び偏光部材３０４に対して、少なくとも湾曲可能となる程度の可撓性を持たせることが可能である。このような可撓性を有する偏光部材（以下「可撓性偏光部材」と呼ぶ。）を屈曲部１１２のうち少なくとも観察者から視認される範囲に配置すれば、屈曲部１１２を表示画面として有効活用し得る。
【００７０】
（第４実施形態）
第４実施形態では、第１実施形態の表示装置１００において、屈曲部１１２近傍に液晶層１０８の不純物イオンを除去する機能を設けた例について説明する。なお、本実施形態では、第１実施形態の表示装置１００との構成上の差異に注目して説明を行い、同じ構成については同じ符号を付して説明を省略することがある。
【００７１】
図７は、第４実施形態における表示装置４００の概略の構成を示す斜視図である。図８は、第４実施形態における表示装置４００の画素構造の構成を示す断面図である。
【００７２】
図７に示されるように、本実施形態の表示装置４００は、表示部１０２の外側にイオントラップ部７０１を有する。イオントラップ部７０１は、液晶層１０８の中に含まれるイオン（例えばイオン性不純物などの帯電した不純物）を捕獲する機能を有する部位である。したがって、イオントラップ部７０１は、液晶層１０８の近傍に配置される。
【００７３】
本実施形態では、映像表示の妨げにならないように、イオントラップ部７０１を表示部１０２の外側に配置する。具体的には、図３に示した屈曲部１１２又はシール部１０６の内側であって屈曲部１１２より外側に配置することが好ましい。勿論、表示部１０２の内側に配置することを妨げるものではなく、例えば、表示部１０２内の遮光部材２１７（図２参照）の下に配置することも可能である。
【００７４】
ここで、イオントラップ部７０１の具体的な構成について図８を用いて説明する。イオントラップ部７０１は、表示装置４００を製造する過程で形成することができる。
【００７５】
本実施形態では、ゲート絶縁層２０４の上にゲート電極２０５を形成する過程で配線８０１を形成する。配線８０１は、トラップ電極８０２に供給する信号を伝達するための配線である。すなわち、トラップ電極８０２は、配線８０１に対して電気的に接続されることにより、所定の電圧を保持することができる。トラップ電極８０２は、画素電極２１３と同時に形成することが可能であり、樹脂層２１０に形成されたコンタクトホール２６及び絶縁層２０６に形成されたコンタクトホール２７を介して配線８０１に接続される。
【００７６】
このとき、表示部１０２においては、画素電極２１３と共通電極２１１との間に形成されたフリンジ電界（横電界）によって液晶層１０８の配向制御が行われる。他方、イオントラップ部７０１においては、トラップ電極８０２に供給される電位（例えば負電位）によって、液晶層１０８の中に含まれるイオンの捕獲が行われる。このように、本実施形態の表示装置４００は、イオントラップ部７０１に供給される電位によって、液晶層１０８内のイオン性不純物等を捕獲する機能を有する。
【００７７】
本実施形態の表示装置４００は、イオントラップ部７０１が屈曲部１１２又はシール部１０６の内側であって屈曲部１１２より外側に配置されるため、表示部１０２における映像表示に影響を受けることがない。すなわち、本実施形態によれば、表示部１０２を表示可能領域として最大限に活用しつつ、観察者から死角となる領域にイオントラップ部７０１を配置することができる。
【００７８】
なお、本実施形態では、基本的に観察者が映像を認識できない領域にイオントラップ部７０１を配置するが、表示部１０２の内側に設けることも可能である。その場合、平面視において、トラップ電極８０２と重畳するように遮光部材２１７を配置すればよい。また、図８に示されるように、配線８０１の幅をトラップ電極８０２の幅よりも大きくすることにより、配線８０１が遮光部材として機能するように構成してもよい。
【００７９】
さらに、第２実施形態の表示装置２００に適用した場合、図４に示されるダミー画素４０１に含まれる電極を用いてイオントラップ部７０１を構成することも可能である。
【００８０】
（第５実施形態）
第５実施形態では、第１実施形態の表示装置１００において、屈曲部１１２において対向基板１０７の裏面に絶縁層を設けた例について説明する。なお、本実施形態では、第１実施形態の表示装置１００との構成上の差異に注目して説明を行い、同じ構成については同じ符号を付して説明を省略することがある。
【００８１】
図９は、第５実施形態における表示装置５００の断面構成を示す図である。図９に示されるように、本実施形態では、屈曲部１１２において対向基板１０７の裏面に絶縁層９０１を設けている。絶縁層９０１としては、樹脂層を用いることができるが、これに限るものではない。
【００８２】
本実施形態では、絶縁層９０１は、液晶セル１１０の折り曲げの際に、中立面を制御する役割をもたせている。例えば、アレイ基板１０１と対向基板１０７の厚さが異なる場合に、折り曲げの際の中立面が液晶層１０８の中心部からずれる場合がある。このような場合に、絶縁層９０１を用いて中立面を液晶層１０８の中心部に合わせておけば、基板表面に設けられた配線が断線するといったリスクを低減することができる。
【００８３】
（第６実施形態）
第１実施形態の表示装置１００では、表示部１０２の１辺に沿って折り曲げる例を示したが、第６実施形態では、表示装置を表示部の異なる２辺に沿って折り曲げる例について説明する。なお、第１実施形態の表示装置１００との構成上の差異に注目して説明を行い、同じ構成については同じ符号を付して説明を省略することがある。
【００８４】
図１０は、第６実施形態における表示装置６００の概略の構成を示す斜視図である。本実施形態の表示装置６００では、破線１１２ａだけでなく、破線１１２ｂにおいても液晶セル１１０を折り曲げる構成となっている。この場合も、破線１１２ｂは、シール部１０６の内側（具体的には、表示部１０２の内側）にあるため、破線１１２ｂより外側に形成される屈曲部は、シール部１０６の内側に形成される。
【００８５】
図１０に示した表示装置６００は、表示可能な領域における２辺のベゼル部分が無いため、第１実施形態の表示装置１００よりもさらにベゼル部分が少なく薄型の表示装置を提供することができる。
【００８６】
図１１Ａ及び図１１Ｂは、それぞれ本実施形態の表示装置６００を搭載した電子機器６０ａ及び６０ｂの一例を示す斜視図である。具体的には、電子機器６０ａ及び６０ｂとして、携帯電話（スマートフォン）を例示する。ただし、電子機器６０ａ及び６０ｂは、携帯電話に限らず、タブレットＰＣなど、表示画面を有する情報端末のいずれも適用することができる。
【００８７】
本実施形態の表示装置６００は、図１０に示したように、破線１１２ａ及び破線１１２ｂで裏面側へ折り曲げられる。すなわち、表示不能な領域である端子部１０３及びフレキシブルプリント回路基板１０４がアレイ基板１０１の裏面側に配置される。したがって、電子機器６０ａ及び電子機器６０ｂを平面視で見た場合、いずれもフレーム部６２ａ及び６２ｂが狭い構造（狭額縁の構造）になっている。
【００８８】
ここで、図１１Ａに示される電子機器６０ａは、表示画面６１ａ及びフレーム部６２ａを含む。表示画面６１ａは、図１０に示した表示部１０２を用いて映像を表示する画面である。本実施形態では、表示画面６１ａは平坦であるが、湾曲していてもよい。フレーム部６２ａは、電子機器６０ａの筐体として機能する。フレーム部６２ａは、ベゼルとも呼ばれる。
【００８９】
電子機器６０ａは、４辺すべてにフレーム部６２ａが配置されている。前述のように、表示装置６００は、破線１１２ａ及び１１２ｂで折り畳まれているため、Ｄ１方向における電子機器６０ａの端部６３ａ及び６４ａに配置されるフレーム部６２ａを狭くすることができる。なお、図１１Ａにおいて、端部６３ａ及び６４ｂに配置されるフレーム部６２ａは、湾曲面を有しているが、平坦面で構成されてもよい。また、フレーム部６２ａには、電源ボタン等のハードウェアで構成された入力部６５ａが設けられていてもよい。表示画面６１ａには、アイコン等のユーザーインターフェースを構成するオブジェクト６６ａを表示することができる。
【００９０】
図１１Ｂに示される電子機器６０ｂは、電子機器６０ａと同様に、表示画面６１ｂ及びフレーム部６２ｂを含む。表示画面６１ｂの大部分は平坦であるが、全体的に湾曲していてもよい。また、電子機器６０ｂは、電子機器６０ａとは異なり、端部６３ｂ及び６４ｂにはフレーム部６２ｂが配置されず、湾曲している。そのため、Ｄ１方向における端部６３ｂ及び６４ｂにおいては、平面視において、観察者からフレーム部６２ｂが視認されない。つまり、Ｄ１方向における仮想端部（平面視において観察者が視認可能な端部）まで表示画面６１ｂが延在する。
【００９１】
なお、フレーム部６２ｂには、電源ボタン等のハードウェアで構成された入力部６５ｂが設けられていてもよい。また、電子機器６０ｂは、表示画面６１ｂが端部６３ｂ及び６４ｂにおいて湾曲しているため、その湾曲した部分にもアイコン等のユーザーインターフェースを構成するオブジェクト６６ｂを表示することができる。
【００９２】
以上のように、電子機器６０ａ及び６０ｂは、表示装置６００の表示部１０２のうち向かい合う２辺を折り曲げることにより、図１１Ａのように端部６３ａ及び６４ａに配置されるフレーム部６２ａを狭くしたり、図１１Ｂのように端部６３ｂ及び６４ｂを表示画面６１ｂとして有効に活用したりすることができる。
【００９３】
さらに、本実施形態の電子機器６０ａ（又は６０ｂ）は、フレーム部６２ａ（又は６２ｂの）うち、表示画面６１ａ（又は６１ｂ）と同じ面に位置する部分を極力狭くするように配線レイアウトを考慮している。これにより、図１０に示した表示部１０２をＤ１方向及びＤ２方向の両方について最大限に有効活用して、電子機器６０ａ（又は６０ｂ）の表示画面とすることができる。
【００９４】
ここで、図１２は、図１１Ｂに示される電子機器６０ｂをＤ１方向に沿って切断した際における、表示装置６００の断面図の一例である。図１２に示されるように、表示装置６００では、液晶セル１１０を挟むように可撓性偏光部材６０４及び６０５が配置される。また、可撓性偏光部材６０４の裏面側には、可撓性を有する導光部材（以下「可撓性導光部材」と呼ぶ。）６０６が配置される。可撓性導光部材６０６の端部には、光源６０７が配置される。
【００９５】
本実施形態では、可撓性偏光部材６０４及び６０５として、可撓性を有する程度に厚さを抑えた偏光部材を用いる。例えば、厚さ３０〜７０μｍ程度の偏光部材を用いることにより、屈曲部１１６ａ及び１１６ｂに可撓性偏光部材６０４及び６０５を延在させることができる。さらに、可撓性導光部材６０６として、例えば、厚さ６００μｍ以下（好ましくは４５０μｍ以下、より好ましくは５０μｍ以上３５０μｍ以下）の導光部材を用いることにより、屈曲部１１６ａ及び１１６ｂに可撓性導光部材６０６を延在させることができる。勿論、可撓性偏光部材６０４及び６０５は、塗布型偏光部材で代替することが可能である。
【００９６】
以上のように、本実施形態の表示装置６００は、屈曲部１１６ａ及び１１６ｂにも偏光部材及び導光部材が配置されているため、屈曲部１１６ａ及び１１６ｂを表示部１０２の一部として利用することができる。
【００９７】
なお、本実施形態の電子機器６０ｂでは、表示部１０２の２辺に沿って液晶セル１１０を折り曲げ、Ｄ１方向における表示画面６１ｂの端部６３ｂ及び６４ｂを湾曲させる例を示したが、これに限られるものではない。例えば、Ｄ１方向だけでなく、Ｄ２方向についても２辺を湾曲させ、４辺すべての端部が湾曲した表示画面とすることもできる。その場合、平面視において、フレーム部分の無い表示装置を実現することができる。
【００９８】
（第７実施形態）
第７実施形態では、第６実施形態とは異なる２辺で表示装置を折り曲げる例について説明する。なお、第６実施形態の電子機器６０ａ及び６０ｂ並びに表示装置６００との構成上の差異に注目して説明を行い、同じ構成については同じ符号を付して説明を省略することがある。
【００９９】
図１３は、第７実施形態における表示装置７００の概略の構成を示す斜視図である。図１０に示される第６実施形態では、表示装置６００の短辺側に端子部１０３を設け、短辺に沿って折り曲げたのに対し、図１３に示される本実施形態では、表示装置７００の長辺側に端子部１０３を設け、長辺に沿って折り曲げている。つまり、本実施形態の表示装置７００は、液晶セル１１０の長辺に沿った破線１１７ａ及び１１７ｂで折り曲げる構成となっている。
【０１００】
第６実施形態と同様に、破線１１７ａ及び１１７ｂは、シール部１０６の内側（具体的には、表示部１０２の内側）にあるため、折り曲げ部分に相当する屈曲部は、シール部１０６の内側に形成される。
【０１０１】
図１４は、本実施形態の表示装置７００を搭載した電子機器７０の一例を示す斜視図である。具体的には、電子機器７０として、携帯電話（スマートフォン）を例示する。ただし、電子機器７０は、携帯電話に限らず、タブレットＰＣなど、表示画面を有する情報端末のいずれも適用することができる。
【０１０２】
図１１Ｂに示した電子機器６０ｂと同様に、電子機器７０は、表示画面７１、フレーム部７２、湾曲した端部７３及び７４を含む。本実施形態では、平面視で見た場合に、表示画面７１のＤ２方向における端部７３及び７４が湾曲している。なお、フレーム部７２には、電源ボタン等のハードウェアで構成された入力部７５が設けられている。また、端部７３及び７４には、アイコン等のユーザーインターフェースを構成するオブジェクト７６を表示することができる。
【０１０３】
なお、本実施形態の表示装置７００についても、第６実施形態と同様に、可撓性偏光部材及び可撓性導光部材を用いる。つまり、破線１１７ａ及び１１７ｂよりも外側の屈曲部にも偏光部材及び導光部材を配置することができるため、表示画面７１の端部７３及び７４を表示画面７１の一部として利用することができる。特に、本実施形態では、表示装置７００の長辺が湾曲した構成となるため、観察者が手に持ったとき、指が自然と触れる位置にオブジェクト７６を表示することができる。
【０１０４】
なお、本実施形態では、表示部１０２の２辺に沿って液晶セル１１０を折り曲げ、Ｄ２方向における表示画面７１の端部７３及び７４を湾曲させる例を示したが、これに限られるものではない。例えば、Ｄ２方向だけでなく、Ｄ１方向についても２辺を湾曲させ、４辺すべての端部が湾曲した表示画面とすることもできる。その場合、平面視において、フレーム部分の無い表示装置を実現することができる。
【０１０５】
（第８実施形態）
第８実施形態では、第７実施形態に示した電子機器７０の表示画面７１の全体を湾曲させた例について説明する。なお、第７実施形態の電子機器７０及び表示装置７００との構成上の差異に注目して説明を行い、同じ構成については同じ符号を付して説明を省略することがある。
【０１０６】
図１５は、第８実施形態の表示装置８００を搭載した電子機器８０の一例を示す斜視図である。本実施形態においても携帯電話（スマートフォン）を例示するが、これに限られるものではない。
【０１０７】
図１４に示した電子機器７０と同様に、電子機器８０は、表示画面８１、フレーム部８２、湾曲した端部８３及び８４を含む。本実施形態では、表示画面８１の全体がＤ２方向において緩やかに湾曲し、端部８３及び８４において、表示画面８１の中央付近よりも小さな曲率半径で湾曲している。そのため、電子機器８０は、楕円柱状の形状となっている。
【０１０８】
なお、本実施形態においても、第７実施形態と同様に、フレーム部８２には、電源ボタン等のハードウェアで構成された入力部８５が設けられている。また、表示画面８１（端部８３及び端部８４を含む）には、アイコン等のユーザーインターフェースを構成するオブジェクト８６を表示することができる。
【０１０９】
ここで、図１６は、本実施形態の電子機器８０をＤ２方向に沿って切断した際における、表示装置８００の断面図の一例である。図１６に示すように、表示装置８００では、液晶セル１１０を挟むように可撓性偏光部材８０４及び８０５が配置される。また、可撓性偏光部材８０４の裏面側には、可撓性導光部材８０６が配置される。可撓性導光部材８０６の端部には、光源８０７が配置される。
【０１１０】
本実施形態では、可撓性偏光部材８０４及び８０５として、可撓性を有する程度に厚さを抑えた偏光部材を用いる。図１６に示されるように、可撓性偏光部材８０４及び８０５は、中央付近を緩やかに湾曲させ、屈曲部１１８ａ及び１１８ｂを中央付近よりも小さい曲率半径で湾曲させている。また、可撓性導光部材８０６についても、可撓性偏光部材８０４及び８０５と同様の形状に湾曲させている。
【０１１１】
以上のように、本実施形態の表示装置８００は、屈曲部１１８ａ及び１１８ｂだけでなく、表示部１０２の中央付近に配置される偏光部材及び導光部材も湾曲させているため、観察者に対してより立体的な映像表示を提供することができる。
【０１１２】
なお、本実施形態では、Ｄ２方向における表示画面８１の端部８３及び８４を湾曲させる例を示したが、これに限られるものではない。例えば、Ｄ２方向だけでなく、Ｄ１方向についても２辺を湾曲させ、中央付近及び４辺すべての端部が湾曲した表示画面とすることもできる。その場合、平面視において、フレーム部分の無い表示装置を実現することができる。
【０１１３】
上述の各実施形態においては、表示装置を例示して説明したが、各実施形態における表示装置を搭載した表示装置も本発明の範囲に含むことができる。ここで、表示装置とは、例えば、携帯型の情報端末など表示媒体として表示装置を利用した装置全般を指す。
【０１１４】
本発明の実施形態として上述した各実施形態は、相互に矛盾しない限りにおいて、適宜組み合わせて実施することができる。また、各実施形態の表示装置を基にして、当業者が適宜構成要素の追加、削除もしくは設計変更を行ったもの、又は、工程の追加、省略もしくは条件変更を行ったものも、本発明の要旨を備えている限り、本発明の範囲に含まれる。
【０１１５】
また、上述した各実施形態の態様によりもたらされる作用効果とは異なる他の作用効果であっても、本明細書の記載から明らかなもの、又は、当業者において容易に予測し得るものについては、当然に本発明によりもたらされるものと解される。
【符号の説明】
【０１１６】
２０…薄膜トランジスタ、３０…保持容量、１００、２００、３００、４００、５００、６００、７００、８００…表示装置、１０１…アレイ基板、１０２…表示部、１０２ａ…画素、１０３…端子部、１０４…フレキシブルプリント回路基板、１０５…駆動回路、１０６…シール部、１０７…対向基板、１０８…液晶層、１１０…液晶セル、１１２…屈曲部、１１３…偏光部材の縁、１１４…仮想端部、２０１…樹脂基板、２０２…下地層、２０３…半導体層、２０４…ゲート絶縁層、２０５…ゲート電極、２０６…絶縁層、２０７…ソース電極、２０８…ドレイン電極、２０９…容量電極、２１０…樹脂層、２５…コンタクトホール、２１１…共通電極、２１２…絶縁層、２１３…画素電極、２１４、２１５…配向膜、２１６…オーバーコート層、２１７…遮光部材、２１８…カラーフィルタ部材、２１９…樹脂基板、３０１…偏光部材、３０２…導光部材、３０３…光源、３０４…偏光部材、３０５…絶縁層、４０１…ダミー画素、６０１、６０２…塗布型偏光部材、７０１…イオントラップ部、８０１…配線、８０２…トラップ電極、２６、２７…コンタクトホール、９０１…絶縁層、６０、７０、８０…電子機器、６１ａ、６１ｂ、７１、８１…表示画面、６２ａ、６２ｂ、７２、８２…フレーム部、６３ａ、６４ａ、６３ｂ、６４ｂ、７３、７４、８３、８４…端部、６５ａ、６５ｂ、７５、８５…入力部、６６ａ、６６ｂ、７６、８６…オブジェクト、６０４、６０５、８０４、８０５…可撓性偏光部材、６０６、８０６…可撓性導光部材、６０７、８０７…光源、１１６ａ、１１６ｂ、１１８ａ、１１８ｂ…屈曲部
【図１】
2018049193.tif 000003
【図２】
2018049193.tif 000004
【図３】
2018049193.tif 000005
【図４】
2018049193.tif 000006
【図５】
2018049193.tif 000007
【図６】
2018049193.tif 000008
【図７】
2018049193.tif 000009
【図８】
2018049193.tif 000010
【図９】
2018049193.tif 000011
【図１０】
2018049193.tif 000012
【図１１Ａ】
2018049193.tif 000013
【図１１Ｂ】
2018049193.tif 000014
【図１２】
2018049193.tif 000015
【図１３】
2018049193.tif 000016
【図１４】
2018049193.tif 000017
【図１５】
2018049193.tif 000018
【図１６】
2018049193.tif 000019